(57)【特許請求の範囲】
【請求項１】
車椅子の車輪を上面に載置可能な回動式無端ベルトと、該回動式無端ベルト上に載置した前記車輪の下部に接触可能な洗浄ブラシと該洗浄ブラシと前記車輪の接触部近傍に洗浄用媒体を供給し得る洗浄用媒体噴出口とを有する洗浄ユニットと、を備えていて、前記車輪を前記回動式無端ベルト上で支持した状態で回転せしめる一方、前記洗浄ユニットで、前記車輪下部の両側面及び回動式無端ベルトとの接触面近傍を同時に洗浄し得る車輪洗浄機であって、前記回動式無端ベルト上面に回動方向に平行な複数の溝部を備え、前記回動式無端ベルト上面露出部の端部に吸水シートを配設してなることを特徴とする車輪洗浄機。
【発明の詳細な説明】
【０００１】
【発明の属する技術分野】
本発明は、車椅子の車輪の汚れを除去するために使用する車椅子の車輪洗浄機に関するものである。
【０００２】
【従来の技術】
病院や医療施設等で使用される車椅子は、清潔であることが要求される。そのため、車椅子の車輪に付着した塵埃や車輪の汚れを除去するために、車輪の洗浄機が検討されている。車椅子の車輪の洗浄機としては、車椅子の車輪を車輪清掃用のロールに摺接する乾式の洗浄機（例えば、特開平８−３０８８７９号公報等）や、車輪の一部を水中に漬けて洗浄する湿式の洗浄機（例えば、特開平９−１０８２６６号公報等）が知られている。一方、本願出願人においても、既に、車椅子の車輪の間隔に応じて四輪の洗浄が可能で、洗浄能力の向上を図った車椅子の車輪洗浄機を提案している（特願２００１−３３２１８２）。
【０００３】
しかしながら、かかる車輪洗浄機においても、洗浄される車輪と洗浄ブラシとの接触部近傍から前記車輪を載置した回動式無端ベルト上面に流下する塵埃や汚れを含んだ使用済みの洗浄用媒体を効率的に除去し、前記車輪の再汚染を防止するという観点からは、依然として課題を残すものであった。
【０００４】
【発明が解決しようとする課題】
本発明は、上記事由に鑑みてなされたもので、その目的とするところは、洗浄される車輪と洗浄ブラシとの接触部近傍から前記車輪を載置した回動式無端ベルト上面に流下する塵埃や汚れを含んだ使用済みの洗浄用媒体を前記車輪を再度汚染すること無く、前記車輪から効率的に隔離し、迅速に除去し得る車輪洗浄機を提供することにある。
【０００５】
【課題を解決するための手段】
上記課題を解決するために、請求項１に係る車輪洗浄機にあっては、車椅子の車輪を上面に載置可能な回動式無端ベルトと、該回動式無端ベルト上に載置した前記車輪の下部に接触可能な洗浄ブラシと該洗浄ブラシと前記車輪の接触部近傍に洗浄用媒体を供給し得る洗浄用媒体噴出口とを有する洗浄ユニットと、を備えていて、前記車輪を前記回動式無端ベルト上で支持した状態で回転せしめる一方、前記洗浄ユニットで、前記車輪下部の両側面及び回動式無端ベルトとの接触面近傍を同時に洗浄し得る車輪洗浄機であって、前記回動式無端ベルト上面に回動方向に平行な複数の溝部を備えていることを特徴とするものである。
【０００６】
請求項１に係る車輪洗浄機にあっては、前記回動式無端ベルト上面露出部の端部に吸水シートを配設してなることを特徴とするものである。
【０００７】
【発明の実施の形態】
以下、本発明の実施形態を図面に基づき説明する。なお、本発明の車輪洗浄機は、下記の実施形態にのみ限定されるものではなく、本発明の要旨を逸脱しない範囲内において種々変更を加え得ることは勿論である。また、図１は本実施形態における車輪洗浄機の概略を示した斜視図である。図２は本実施形態における車輪洗浄機の洗浄ユニット２を示した斜視図である。図３は本実施形態において、車椅子の後輪を洗浄中の車輪洗浄機の要部を示す斜視図である。図４は本実施形態における洗浄ユニット２の移動の概略を示す図である。図５は、本実施形態における車輪洗浄機の回動式無端ベルト３の交換時の様子を示す斜視図である。図６は、本実施形態における車輪洗浄機の回動式無端ベルト３の交換の操作の概略を示す図である。以下、本実施形態の説明においては、説明の便宜上、車椅子は、原則として、車輪洗浄機の後方側から車輪洗浄機上に搬入されるものとし、車輪洗浄機上に搬入される車椅子の進行方向を前方、車輪洗浄機上に前方より後ろ向きに搬入された車椅子自体の左方向、右方向をそれぞれ左方向、右方向として説明する。
【０００８】
本実施形態における車輪洗浄機は、図１及び図２に示すように、車椅子の車輪９を上面に載置可能な回動式無端ベルト３と、該回動式無端ベルト３の上に載置した前記車輪９の下部に接触可能な洗浄ブラシ４と該洗浄ブラシ４と前記車輪９の接触部近傍に洗浄用媒体を供給し得る洗浄用媒体噴出口６とを有する洗浄ユニット２（図２参照）と、を備えていて、前記車輪９を前記回動式無端ベルト３上で支持した状態で回転せしめる一方、前記洗浄ユニット２で、前記車輪９下部の両側面及び回動式無端ベルト３との接触面近傍を同時に洗浄し得る車輪洗浄機であって、前記回動式無端ベルト３の上面に回動方向に平行な複数の溝部１０を備えるというものである。また、本実施形態における車輪洗浄機は、回動式無端ベルト３上面露出部２８の端部２９に吸水シート３０を配設してなることを特徴とするものである。
【０００９】
更に具体的には、本実施形態における車輪洗浄機は、図１に示すように、車椅子の左右の車輪９を載置する洗浄テーブル１と、この洗浄テーブル１の前方及び後方にスロープ１１を備えている。洗浄テーブル１には、車椅子の左右の車輪９（図１には図示せず）が通過する通路１３が左側及び右側にそれぞれ形成されており、この通路１３の前後方向での中央部に回動式無端ベルト３が配設されている。回動式無端ベルト３は、洗浄テーブル１上に搬入した車椅子の車輪９を支持する一方、駆動装置（図示せず）により前後方向に回動、または、停止することができる。
【００１０】
上記洗浄テーブル１は、左右の通路１３を分断して中央部に待機ボックス１２を備え、その内部に車椅子の前後左右４つの車輪９に対応した４つの洗浄ユニット２が収納されている。
【００１１】
また、本実施形態における車輪洗浄機においては、洗浄テーブル１の右側横に電気部品等を収納した第１収納ボックス１４と、スチーム発生器（図示せず）を収納した第２収納ボックス１５と、手元スイッチ１６を未使用の際に引っ掛けておく保持枠体１７とを備えている。第１収納ボックス１４は、車輪洗浄機に使用するタイマー、リレーなど各種電気部品、及び電源供給のメインスイッチ（図示せず）等を収納しており、また、これらは外部電源（図示せず）と配線１９で接続されている。一方、手元スイッチ１６は、第１収納ボックス１４と配線１８で接続されており、始動用と停止用の釦を備え、車椅子に乗った人又はその介護者が手元で操作できるようになっている。第２収納ボックス１５は、上記したようにスチーム発生器を内蔵し、該スチーム発生器は、発生したスチームを、前記した洗浄用媒体として後述する洗浄ユニット２に供給する。第２収納ボックス１５は、上面に前記スチーム発生器の水量不足を警告したり、スチーム温度が適温に達したかを表示する表示器２０等を備えている。
【００１２】
また、本実施形態における車輪洗浄機は、通路カバー２２を備えており、上記した通路１３をこの通路カバー２２の上面に設けるという構成を採用している。さらに、この通路カバー２２を含む洗浄テーブル１の下側内部には、洗浄ユニット２の移動に用いる各種ベルト、各種モータ等の駆動装置等を収容している。
【００１３】
さらに、本実施形態における車輪洗浄機は、回動式無端ベルト３の上面に載置する車椅子の車輪９ごとに、その車輪９の下部に接触可能な洗浄ブラシ４と該洗浄ブラシ４と前記車輪９の接触部近傍に洗浄用媒体であるスチームを供給し得る洗浄用媒体噴出口６とを有する洗浄ユニット２を備えるものである。即ち、これらの洗浄ユニット２は、車輪９を洗浄する際に、前輪９ｂを車椅子の前側から、後輪９ａを車椅子の後側から各車輪９の下部を挟み込むようにして包囲、接触する。
【００１４】
図２は、後輪９ａに対応する洗浄ユニット２ａを例示するものであるが、本実施形態における車輪洗浄機の洗浄ユニット２は、車輪９（図２では図示せず）の下部にあって、車輪９の側面の外側に配置される外片３１と、車輪９の側面の内側で外片３１と対向して配置される内片３３と、この外片３１と内片３３の基端部を連接する連接片３２とを備えている。このため、洗浄ユニット２は、外片３１と連接片３２と内片３３とで空間部３４が形成され、この空間部３４に車輪９の下部が挿入されることとなる。
【００１５】
さらに、洗浄ユニット２は、前記した内片３３の空間部３４と反対側面から先端にかけて形成される連結カバー体３５を有し、その基端部にスクリューシャフト３６を連結している。また、連結カバー体３５は、その先端部側であって、空間部３４に挿入する車輪９に面する側面に圧力感知センサ５を備える。この圧力感知センサ５は、洗浄ユニット２を待機位置から車椅子の各車輪９の下部を包囲、接触する位置まで移動する際に、車輪９の存在を感知するものである。また、連結カバー体３５は、その先端にスチーム配管８が接続されている。スチーム配管８はフレキシブルに構成され、洗浄ユニット２の移動に追随、対応できるようになっている。
【００１６】
洗浄ユニット２は、外片３１と内片３３に、羽先を空間部３４側に向けて洗浄ブラシ４を取付けている。この洗浄ブラシ４は、外片３１と内片３３の上側にあって、空間部３４側に開口した横溝（図示せず）にその基端を挿入して取付けている。洗浄ブラシ４は、外片３１と内片３３とで１対の洗浄ブラシ４ａ、４ｂとなっており、連接片３２側が羽先を長くしている。この１対の洗浄ブラシ４ａ、４ｂで、空間部３４に挿入した車輪９の側面を両方から摺接する。また、洗浄ユニット２は、内片３３の先端と接する連結カバー体３５の一部に窪み３８を形成し、内片３３の横溝に洗浄ブラシ４ａを取付け易くしている。
【００１７】
さらに、上記洗浄ユニット２は、洗浄ブラシ４の上方に位置する、連接片３２の上側にロール状の圧力感知ローラ７を備える。圧力感知ローラ７は、洗浄ユニット２を待機位置から車椅子の各車輪９の下部を包囲する位置まで移動する際に、車輪９を感知するものである。
【００１８】
また、上記洗浄ユニット２は、連接片３２の下側に空間部３４内に洗浄用媒体であるスチームを噴出する噴出口６を備える。噴出口６は、スチームを車輪９に放射できるようになっている。使用されるスチームは、上記スチーム発生器で発生させ、洗浄テーブル１の中央カバー２６と通路１３の隙間から延びたスチーム配管８を通って洗浄ユニット２内に供給される。このスチームは、連結カバー体３５や連接片３２の内部にある配管（図示せず）を通って噴出口６より放射する。スチームは、噴出時には、９０℃以上の温度を有し、車輪９の表面に７０〜８０℃程度の温度で当たるため、車輪９の洗浄と同時に車輪９を除菌、殺菌する効果をも有する。本実施形態における車輪洗浄機は、洗浄媒体にスチームを用いるので、熱水では除去され難い砂や塵の付着汚れをも容易に除去することが可能となる。
【００１９】
さらに、本実施形態における車輪洗浄機は、上記洗浄ユニット２を４個備え、回動式無端ベルト３上に載置した車椅子の左右及び前後の各車輪９の位置を感知し、各洗浄ユニット２を待機位置である各待機ボックス１２内から各車輪９の下部を包囲する位置まで移動可能に構成されている。
【００２０】
即ち、車輪洗浄機は、洗浄テーブル１の内部に、図４で示すような左右移動用モータ４１とテンションプーリ４２を備え、左右移動用モータ４１が稼動することで、左右移動用モータ４１とテンションプーリ４２間の第１のベルト４３が回動する。この第１のベルト４３に接続したプレート板４４は、左右方向に付設されたスライド式レール４６上に載っており、また、このプレート板４４は、その上に前後移動用モータ４５を設置している。前後移動用モータ４５は、第２のベルト５０を介して上記スクリューシャフト３６のテンションプーリ４７に接続している。また、プレート板４４は、連結片４８を介して洗浄テーブル１上に位置するところに収納プレート４９を備える。収納プレート４９は、前後方向に付設されたスライド式レール３７を備え、このスライド式レール３７上に洗浄ユニット２が載っている。
【００２１】
本実施形態における車輪洗浄機は、左右移動用モータ４１が稼動すると、第１のベルト４３が回動し、第１のベルト４３に接続したプレート板４４が、スライド式レール４６に沿って左右方向に移動する。このプレート板４４の移動に伴って、収納プレート４９及び洗浄ユニット２が左右方向に移動する。このとき収納プレート４９は、洗浄テーブル１の通路カバー２２の上面を摺動する。そして、洗浄ユニット２の圧力感知センサ５から左右移動用モータ４１に信号が送信されるようになっており、圧力感知センサ５が所定の圧力を感知すると、左右移動用モータ４１が停止するようになっている。
【００２２】
次に、本実施形態における車輪洗浄機においては、前後移動用モータ４５が稼動すると、第２のベルト５０が回動し、スクリューシャフト３６が回転してスライド式レール３７に沿って洗浄ユニット２が前後方向に移動する。そして、洗浄ユニット２の圧力感知ローラ７から前後移動用モータ４５に信号が送信されるようになっており、圧力感知ローラ７が所定の圧力を感知すると、前後移動用モータ４５が停止するようになっている。上記車椅子の車輪洗浄機は、車椅子の車輪９の前後及び幅方向の位置を感知する車輪位置センシングユニットとして圧力感知センサ５と圧力感知ローラ７とを備えている。
【００２３】
上記洗浄ユニット２は、洗浄が開始される前、上記待機ボックス１２の所定の位置で、収納プレート４９上に収容された状態で待機している。そして、洗浄が開始のスイッチが入り、左右移動用モータ４１が稼動する。洗浄ユニット２は、待機ボックス１２から左または右側にそれぞれ移動を開始し、圧力感知センサ５が車輪９の内側の側面に当たって車輪９の左右方向の位置を感知したところで、左右移動用モータ４１が停止して、左右方向の移動が停止する。
【００２４】
次に、前後移動用モータ４５が稼動すると、洗浄ユニット２は、スクリューシャフト３６の回転にともなって、収納プレート４９から前又は後方向に進行し、車輪９の下部を洗浄ユニット２の空間部３４内に挿入する。洗浄ユニット２は、圧力感知ローラ７が車輪９の接地面に当たったところで、前後移動用モータ４５が停止して洗浄ユニット２の前後方向の移動を停止する。このようにして、洗浄ユニット２は、車椅子の左右及び前後の各車輪９の位置まで移動する。また、車輪洗浄機は、洗浄終了後に、前後移動用モータ４５が稼動して洗浄ユニット２を収納プレート４９上に収容し、次いで、左右移動用モータ４１が稼動して洗浄ユニット２を待機ボックス１２内に収納する。
【００２５】
上記したように、本実施形態における車輪洗浄機は、スチームを車輪９に噴きつけて洗浄するので、熱水では除去され難い砂や塵の付着汚れをも容易に除去することが可能となる。
【００２６】
しかしながら、洗浄される車輪９と洗浄ブラシ４との接触部近傍でスチームが冷却、液化して汚水が生成するため、洗浄される車輪９と洗浄ブラシ４との接触部近傍から車輪９を載置した回動式無端ベルト３の上面に流下するこのような塵埃や汚れを含んだ汚水を効率的に除去し、かかるスチームによる洗浄効果を最大限有効活用する必要がある。また、かかる要請は、本実施形態における車輪洗浄機のようにスチームを洗浄媒体とする場合のみに限られるものではなく、石鹸水等他の洗浄媒体を使用する他の実施形態においても等しく求められるところである。
【００２７】
このため、本発明における車輪洗浄機においては、回動式無端ベルト３の上面に回動方向に平行な複数の溝部１０を設けている。即ち、こうすることにより、例えば、スチームを洗浄媒体とする本実施形態においても、洗浄される車輪９と洗浄ブラシ４との接触部近傍から前記車輪９を載置した回動式無端ベルト３の上面に流下する塵埃や汚れを含んだ汚水を前記複数の溝部１０に収容することができ、車輪９をかかる塵埃や汚れを含んだ使用済みの洗浄用媒体である汚水から効率的に隔離し、前記車輪９が、再度汚染されることを防止し得るというものである。
【００２８】
さらに、本発明における車輪洗浄機においては、回動式無端ベルト３の上面露出部２８の端部２９に吸水シート３０を配設している。こうすることにより、例えば、スチームを洗浄媒体とする本実施形態においても、洗浄される車輪９と洗浄ブラシ４との接触部近傍から前記車輪９を載置した回動式無端ベルト３の上面に流下する塵埃や汚れを含んだ汚水をこの吸水シート３０により、回動式無端ベルト３の上面から迅速に除去することができ、車輪９が、再度汚染されることを防止することができることとなる。かかる吸水シ−ト３０としては、例えば、吸水性のポリエステル繊維を含有したもの等が例示可能である。
【００２９】
また、回動式無端ベルト３自体は、塵埃や汚れ及びこれらをを含んだ汚水と直接接触する部材であり、また、その上面に重量物である車椅子を載置し、しかも自ら回動する部材でもあるため、汚損や摩損による消耗が大きいことを考慮すると交換可能な構造とすることが望ましい。回動式無端ベルト３の交換可能な構造としては、例えば、図５及び図６に示すように、回動式無端ベルト３を嵌め込み式にするもの等が例示できる。この場合、回動式無端ベルト３は、洗浄テーブル１の左右の通路１３を分離する中央部の下方隔壁５１に形成した挿入口３９に回動式無端ベルト３のロール軸４０を嵌め込んで設置される。回動式無端ベルト３を交換する際は、回動式無端ベルト３に近傍する外枠２３の上片２４、回動式無端ベルト３に近傍する第１収納ボックス１４の上片２５、並びに、中央カバー２６の回動式無端ベルト３側のカバー片２７を跳ね上げて、交換するスペースを確保する構成とすることができる。
【００３０】
次に、本実施形態における車輪洗浄機により車椅子を洗浄する方法の概略について説明する。
【００３１】
まず、車輪洗浄機を電源に接続し、上記スチーム発生器を加温してスチームの使用が可能な状態とする。この際、スチーム発生器での水量が不足の場合は、予め水を補給しておく。次に、車椅子を介護者または利用者が操作して、前方のスロープ１１から後ろ向きに洗浄テーブル１内に搬入する。
【００３２】
次に、介護者または利用者が手元スイッチ１６を操作して、洗浄の開始釦を入れる。このとき、タイマーで回動式無端ベルト３の作動時間を予め設定することにより、回動式無端ベルト３を１秒程度の短時間だけ回動させる。車椅子の前輪９ｂは、自在方向に向くものなので、回動式無端ベルト３上で停止したときに前輪９ｂの方向がばらばらである。そこで、回動式無端ベルト３を短時間だけ回動せしめることで、前輪を前後方向に揃えるようにする。
【００３３】
その後、自動的に、洗浄ユニット２が待機ボックス１２から移動を開始し、各車輪９の左右方向の位置、次いで、前後方向の位置を感知しながら各車輪９の下部まで移動し、前輪９ｂについては前側、後輪９ａについては後側から包囲、接触する。そして、回動式無端ベルト３を回動させ、車輪９を回転させながら、噴出口６からスチームを噴出しつつ、洗浄ブラシ４を車輪９の両方の側面及び設置面に接触せしめ、車輪９を洗浄する。各車輪９にスチームを同時に噴きつけてもよいが、スチームの発生能力等を考慮して、例えば、最初に２０秒程後輪９ａに噴きつけ、その後１０秒程前輪９ｂに噴きつける等時間差を設けるようにすることも可能である。これらスチームの噴出圧、噴出時間等は、使用者が所望の設定値に設定できるように構成することができる。
【００３４】
洗浄が終了した後、回動式無端ベルト３を停止し、次いで、洗浄ユニット２を待機ボックス１２内に収納する。この後、車椅子をスロープ１１を経由して車輪洗浄機の外に搬出することができる。
【００３５】
以上のようにして、この車輪洗浄機を用いて車椅子を洗浄することができる。本実施形態における車輪洗浄機は、各洗浄ユニット２が、圧力感知センサ５及び圧力感知ローラ７によって、車椅子の車輪９の位置を感知して車椅子の各車輪９の下部を洗浄ブラシ４で包囲、接触できる位置まで移動することができるので、車椅子を回動式無端ベルト３上に一度載置するだけで、車椅子の各車輪９の間隔に対応した四輪の洗浄を可能とするものである。また、本実施形態における車輪洗浄機は、車輪９の側面を両方から洗浄ブラシ４で摺接するので、車輪９の両側面に付着した汚れも確実に除去できる。
【００３６】
【発明の効果】
以上のように、請求項１に係る車輪洗浄機にあっては、車椅子の車輪を上面に載置可能な回動式無端ベルトと、該回動式無端ベルト上に載置した前記車輪の下部に接触可能な洗浄ブラシと該洗浄ブラシと前記車輪の接触部近傍に洗浄用媒体を供給し得る洗浄用媒体噴出口とを有する洗浄ユニットと、を備えていて、前記車輪を前記回動式無端ベルト上で支持した状態で回転せしめる一方、前記洗浄ユニットで、前記車輪下部の両側面及び回動式無端ベルトとの接触面近傍を同時に洗浄し得る車輪洗浄機であって、前記回動式無端ベルト上面に回動方向に平行な複数の溝部を備えていることを特徴とするので、洗浄される車輪と洗浄ブラシとの接触部近傍から前記車輪を載置した回動式無端ベルト上面に流下する塵埃や汚れを含んだ使用済みの洗浄用媒体を前記複数の溝部内に収容することができ、前記車輪をかかる塵埃や汚れを含んだ使用済みの洗浄用媒体から効率的に隔離し、前記車輪が、再度汚染されることを防止し得るという優れた効果を奏する。
【００３７】
請求項１に係る車輪洗浄機にあっては、前記回動式無端ベルト上面露出部の端部に吸水シートを配設してなることを特徴とするので、洗浄される車輪と洗浄ブラシとの接触部近傍から前記車輪を載置した回動式無端ベルト上面に流下する塵埃や汚れを含んだ使用済みの洗浄用媒体をこの吸水シートにより、前記回動式無端ベルト上面から迅速に除去することができ、前記車輪が、再度汚染されることを防止し得るという優れた効果を奏する。
【図面の簡単な説明】
【図１】本実施形態における車輪洗浄機の概略を示した斜視図である。
【図２】本実施形態における車輪洗浄機の洗浄ユニットを示した斜視図である。
【図３】本実施形態において、車椅子の後輪を洗浄中の車輪洗浄機の要部を示す斜視図である。
【図４】本実施形態における洗浄ユニットの移動の概略を示す図である。
【図５】本実施形態における車輪洗浄機の回動式無端ベルトの交換時の様子を示す斜視図である。
【図６】本実施形態における車輪洗浄機の回動式無端ベルトの交換の操作の概略を示す図である。
【符号の説明】
１      洗浄テーブル
２      洗浄ユニット
２ａ    洗浄ユニット（後輪９ａ）
３      回動式無端ベルト
４      洗浄ブラシ
４ａ    洗浄ブラシ
４ｂ    洗浄ブラシ
５      圧力感知センサ
６      洗浄用媒体噴出口
７      圧力感知ローラ
８      スチーム配管
９      車輪
９ａ    後輪
９ｂ    前輪
１０      溝部（回動式無端ベルト３）
１１      スロープ
１２      待機ボックス
１３      通路（洗浄テーブル１）
１４      第１収納ボックス
１５      第２収納ボックス
１６      手元スイッチ
１７      保持枠体
１８      配線
１９      配線
２０      表示器（第２収納ボックス１５）
２１      給水蓋
２２      通路カバー
２３      外枠
２４      上片（外枠２３）
２５      上片（第１収納ボックス１４）
２６      中央カバー
２７      カバー片（中央カバー２６）
２８      上面露出部（回動式無端ベルト３）
２９      端部（上面露出部２８）
３０      吸水シート
３１      外片（洗浄ユニット２）
３２      連結片（洗浄ユニット２）
３３      内片（洗浄ユニット２）
３４      空間部
３５      連結カバー体
３６      スクリューシャフト
３７      スライド式レール
３８      窪み（連結カバー体３５）
３９      挿入口（下方隔壁５１）
４０      ロール軸（回動式無端ベルト３）
４１      左右移動用モータ
４２      テンションプーリ
４３      ベルト（第１）
４４      プレート板
４５      前後移動用モータ
４６      スライド式レール
４７      テンションプーリ
４８      連結片
４９      収納プレート
５０      ベルト（第２）
５１      下方隔壁（洗浄テーブル１）
【図１】
0003750623.tif 000002
【図２】
0003750623.tif 000003
【図３】
0003750623.tif 000004
【図４】
0003750623.tif 000005
【図５】
0003750623.tif 000006
【図６】
0003750623.tif 000007